(57)【要約】【課題】健康状態管理が可能であるとともに装身具としての外観を維持できるネックレスを提供する。【解決手段】このネックレス１は、挿通孔２０ａが硬質の珠本体２０に形成された複数の珠２と、挿通孔２０ａに挿通し複数の珠２を連結するリング形成部材３と、リングを形成するためにリング形成部材３の両端に設けられ互いに結合する結合部材４Ａ、４Ｂと、を有するものであって、２個の珠２Ａは、珠本体２０Ａに、皮膚Ｓ側に開口部２０ｂａを有した中空部２０ｂが形成され、中空部２０ｂの中に、人体の健康状態を検出するために血流音等を検出する健康状態検出部５が設けられており、結合部材４Ａ、４Ｂは、健康状態検出部５から出力されるデータを記憶するデータ記憶部６と、データ記憶部６に記憶されたデータを外部に送信するデータ通信部７と、健康状態検出部５等に電力を供給する電源部８と、が設けられている。【選択図】図２
2015024063.tif 000002
【特許請求の範囲】
【請求項１】
挿通孔が硬質の珠本体に形成された複数の珠と、前記挿通孔に挿通し前記複数の珠を連結するリング形成部材と、リングを形成するために前記リング形成部材の両端に設けられ互いに結合する結合部材と、を有するネックレスであって、
少なくとも１個の前記珠は、前記珠本体に、皮膚側に開口部を有した中空部が形成され、該中空部の中に、人体の健康状態を検出する少なくとも１つの健康状態検出部が設けられており、
前記結合部材、前記珠、前記リング形成部材、のいずれかは、前記健康状態検出部から出力されるデータを記憶するデータ記憶部と、該データ記憶部に記憶されたデータを外部に送信するデータ通信部と、前記健康状態検出部、データ記憶部、及びデータ通信部に電力を供給する電源部と、が設けられていることを特徴とするネックレス。
【請求項２】
請求項１に記載のネックレスにおいて、
前記少なくとも１つの健康状態検出部は、血流の状態を検出するものであることを特徴とするネックレス。
【請求項３】
請求項２に記載のネックレスにおいて、
前記少なくとも１つの健康状態検出部は、血流音を検出するものであることを特徴とするネックレス。
【請求項４】
請求項１〜３のいずれか１項に記載のネックレスにおいて、
前記リング形成部材は、内部に導電線が設けられていることを特徴とするネックレス。
【請求項５】
請求項１〜４のいずれか１項に記載のネックレスにおいて、
前記健康状態検出部が設けられた前記珠は、前記中空部の前記開口部を塞ぎ、皮膚に貼り付け可能な貼り付け部材を有していることを特徴とするネックレス。
【請求項６】
請求項１〜５のいずれか１項に記載のネックレスにおいて、
前記健康状態検出部が設けられた前記珠の前記珠本体は、高密度で整った結晶構造を成す炭素焼成体であることを特徴とするネックレス。
【発明の詳細な説明】
【技術分野】
【０００１】
本発明は、人体の健康状態管理が可能なネックレスに関する。
【背景技術】
【０００２】
人体の健康状態の管理のために、外観がネックレスに近似したネックレスタイプの健康状態管理装置が知られている。例えば、特許文献１には、心音、呼吸音、体温などを計測し、その計測値を送信装置から送信する様々な形態のシステムが記載されている。その中には、ケーブルを伸縮可能にして、ペンダント状の電気聴診装置を有し、その電気聴診装置によって呼吸音を計測するネックレスタイプのものが含まれている。特許文献２には、生体から脈波を検出する脈波検出部を有し、脈波の形状を特定してそれに対応する診断内容を診断内容記憶部から読み出す心機能診断装置が記載されている。その中には、脈波検出部の圧力センサを小ケーブルの先端に設けて被験者の頸動脈部に貼り付けるようにし、小ケーブルの基端側をリング形成部材である鎖に埋め込み、ブローチのような形状の装置本体に心機能診断の主要部分を組み込んだネックレスタイプのものが含まれている。特許文献３には、後頸接触部に一の電極、ペンダントに他の電極と体温センサ、を有し、それら２個の電極で心電計情報、体温センサで体温をそれぞれ計測し、その計測値を送受信装置から送信するネックレスタイプの心電計及び体温情報検出器が記載されている。
【先行技術文献】
【特許文献】
【０００３】
【特許文献１】実開平０３−０４６３０２号公報
【特許文献２】特開平１１−１０４０８９号公報
【特許文献３】特開２００８−２８４３６４号公報
【発明の概要】
【発明が解決しようとする課題】
【０００４】
しかしながら、長時間にわたる人体の健康状態管理には、外観を含め日常的に装着し易いことが重要である。特許文献１〜３を含め従来のネックレスタイプの健康状態管理装置の多くは、機能のみを考慮したものであり、通常のネックレスが有する美観、すなわち装身具としての外観、を維持しているものではない。
【０００５】
本発明は、係る事由に鑑みてなされたものであり、その目的は、人体の健康状態管理が可能であるとともに装身具としての外観を維持できるネックレスを提供することにある。
【課題を解決するための手段】
【０００６】
上記目的を達成するために、請求項１に記載のネックレスは、挿通孔が硬質の珠本体に形成された複数の珠と、前記挿通孔に挿通し前記複数の珠を連結するリング形成部材と、リングを形成するために前記リング形成部材の両端に設けられ互いに結合する結合部材と、を有するネックレスであって、少なくとも１個の前記珠は、前記珠本体に、皮膚側に開口部を有した中空部が形成され、該中空部の中に、人体の健康状態を検出する少なくとも１つの健康状態検出部が設けられており、前記結合部材、前記珠、前記リング形成部材、のいずれかは、前記健康状態検出部から出力されるデータを記憶するデータ記憶部と、該データ記憶部に記憶されたデータを外部に送信するデータ通信部と、前記健康状態検出部、データ記憶部、及びデータ通信部に電力を供給する電源部と、が設けられていることを特徴とする。
【０００７】
請求項２に記載のネックレスは、請求項１に記載のネックレスにおいて、前記少なくとも１つの健康状態検出部は、血流の状態を検出するものであることを特徴とする。
【０００８】
請求項３に記載のネックレスは、請求項２に記載のネックレスにおいて、前記少なくとも１つの健康状態検出部は、血流音を検出するものであることを特徴とする。
【０００９】
請求項４に記載のネックレスは、請求項１〜３のいずれか１項に記載のネックレスにおいて、前記リング形成部材は、内部に導電線が設けられていることを特徴とする。
【００１０】
請求項５に記載のネックレスは、請求項１〜４のいずれか１項に記載のネックレスにおいて、前記健康状態検出部が設けられた前記珠は、前記中空部の前記開口部を塞ぎ、皮膚に貼り付け可能な貼り付け部材を有していることを特徴とする。
【００１１】
請求項６に記載のネックレスは、請求項１〜５のいずれか１項に記載のネックレスにおいて、前記健康状態検出部が設けられた前記珠の前記珠本体は、高密度で整った結晶構造を成す炭素焼成体であることを特徴とする。
【発明の効果】
【００１２】
本発明のネックレスによれば、珠の内部に健康状態検出部を設けており、また、リング形成部材の内部に導電線を設けることが可能なので、人体の健康状態管理が可能であるとともに装身具としての外観を維持できる。
【図面の簡単な説明】
【００１３】
【図１】本発明の実施形態に係るネックレスの概略平面図である。
【図２】同上のネックレスの健康状態検出部が設けられた珠とその近傍を拡大して示す模式的な断面図である。
【図３】同上のネックレスの実施形態の変形例の概略平面図である。
【図４】同上のネックレスの結合部材を拡大して示す模式的な断面図である。
【図５】同上のネックレスを用いた通信システムの例を示す概念図である。
【発明を実施するための形態】
【００１４】
以下、本発明を実施するための形態を図面を参照しながら説明する。本発明の実施形態に係るネックレス１は、人体の健康状態管理が可能であって、図１に示すように、複数の珠２と、リング形成部材３と、結合部材４Ａ、４Ｂと、を有するものである。
【００１５】
珠２は、その形状が例えば球形、碁石形又は紡錘形のものが可能であるが、限定はされない。珠２は、その大きさやネックレス１に使用される数も限定されるものではないが、例えば、珠２の大きさは６ｍｍ〜１５ｍｍとすることができる。
【００１６】
珠２を構成する珠本体２０は、硬質のものである。珠本体２０には、図２に示すように、リング形成部材３が挿通する挿通孔２０ａが形成されている。リング形成部材３を挿通孔２０ａに挿通させることによって、珠２とリング形成部材３とが分離しないようになっている。珠本体２０は、通常のネックレスに用いられる金属（ジュエリー用貴金属（金、銀、白金、パラジウム又はその合金）又は錫など）や宝石などを用いることが可能である。また、珠本体２０は、高密度で整った結晶構造の炭素焼成体を用いることも可能である。なお、複数の珠２の珠本体２０は、用いられる材料が全て同じ種類であっても或いは互いに異なっていてもよい。
【００１７】
炭素焼成体の場合、以下のようにして製造することができる。すなわち、黒鉛、又は竹炭などの炭化物の粒子状の炭素材料にフェノール系接着剤、ピッチ又はタールなどのバインダを５重量％程度加えて、弾性を有する型（例えば、ゴム製の型）に充填する。そして、その型をシールし、圧力容器内に水没させて圧力媒体である水で加圧する。そうすると、炭素材料は、全方向より等圧的に加圧されるので、ランダムに配向し等方性（異方比１．０〜１．１）の塊となる。それから、型から取り出した炭素材料の塊を酸素が欠乏した状態で加熱し、最終的には２０００〜３０００℃程度で焼成する。こうすると、炭素材料全体は結晶化（黒鉛化）し、高密度で整った結晶構造を成して一体化することになる。なお、フェノール成分、ピッチ又はタールは昇温途中の約１２００℃程度で揮発している。その後、加熱を止め、さました後、分割し、珠本体２０の形状に加工する。この炭素焼成体は、バインダが揮発しているので、ほぼ１００％（９９％以上）が炭素材となっている。
【００１８】
炭素焼成体の珠本体２０は、極めて軽量であり、人体を形成する有機物の構成物質と同じであるため人体に対する安全性が高い。その上、結晶構造の炭素焼成体は、結晶構造であるために、炭素材でありながら破損し難い。炭素焼成体の珠本体２０は、隣接する珠本体２０と接触し擦れ合ったり、また、落下等で不意に何かに衝突したりすることもあるが、それらに対して十分な物理的強度を有している。また、炭素焼成体の珠本体２０はほぼ１００％が炭素材であるので、多量の遠赤外線を放射し、ネックレス１を装着した者の皮下組織、血管などに作用して血流を改善し、もって健康増進に寄与することが可能である。また、炭素焼成体の珠本体２０は、熱伝導率が高く、電気抵抗が比較的低い。
【００１９】
炭素焼成体の珠本体２０は、その外表面、挿通孔２０ａの内壁面、及び後述する中空部２０ｂの内壁面は、細かな摩耗などを防止するために、水性アクリル、ＤＬＣ（ダイヤモンドライクカーボン）薄膜などでコーティングされている。
【００２０】
珠２には、健康状態管理のために、人体の健康状態、特に、血流の状態のデータを得るための２個の珠２Ａが含まれている。珠２Ａには、その珠本体２０Ａに、皮膚Ｓ側（ネックレス１を装着したときに皮膚Ｓに向かう側）に開口部２０ｂａを有した中空部２０ｂが形成されている。本実施形態では、ネックレス１の中で、２個の珠２Ａは、ネックレス１が首の周囲に巻かれたときに、左右対称に、また、中空部２０ｂの開口部２０ｂａが左右の頸動脈の位置に来ることができるように、配置されている。
【００２１】
珠２Ａの中空部２０ｂの中には、人体の健康状態、特に、血流の状態を検出する健康状態検出部５が設けられている。本実施形態では、健康状態検出部５は、血流音を検出するものである。この健康状態検出部５は、従来からの聴診器で検査されていたような血流音を検出する。健康状態検出部５は、頸動脈の血流音を検出することができる。健康状態検出部５は、図２に示すように、血流音を入力するマイクロホン素子５１、マイクロホン素子５１が出力する電気信号を増幅するアンプ回路５２、電気信号をデジタル化する信号処理回路５３、などから構成することができる。
【００２２】
また、珠２Ａにおいて、健康状態検出部５を囲む珠本体２０Ａは、前述した通常のネックレスに用いられる金属（ジュエリー用貴金属（金、銀、白金、パラジウム又はその合金）又は錫など）又は前述した炭素焼成体を用いることが好ましい。これらの金属又は炭素焼成体の珠本体２０Ａは、高い熱伝導率により、健康状態検出部５の動作による熱を効率的に外に放出することができ、また、低い電気抵抗により、外からの電磁波を効果的に遮断することができる。また、外からの音を効果的に遮断することができる。その結果、これらの金属又は炭素焼成体の珠本体２０Ａは、健康状態検出部５の安定動作を助ける。
【００２３】
こうした血流音の検出により、健康状態管理を行うことができ、また、頸動脈の血流の異常を検知し、もって、脳梗塞などの脳の障害の予防に役立てることができる。血流の異常を検知したときには、音を出したり又は図３に示すような発光体２Ｂを設けてそれを光らせたりして、警告することが可能である。
【００２４】
また、珠２Ａは、中空部２０ｂの開口部２０ｂａに、皮膚Ｓに貼り付け可能な貼り付け部材２１を有している。貼り付け部材２１は、図２に示すように、中空部２０ｂの開口部２０ｂａを塞ぐ薄いフィルム状のものが好ましい。この貼り付け部材２１は、例えば、皮膚Ｓに接触する部分又は全部の材料にシリコーンゲルを用いることができる。シリコーンゲルは、粘着力を有しており、また、水で洗うことにより皮膚Ｓから付着した脂分を取り除くことができ、それにより、粘着力を回復させることができる。
【００２５】
このような珠２Ａは、皮膚Ｓ側の開口部２０ｂａの近傍が外観上ほとんど目立たないため、他の珠２と同様な装身具の珠としての外観を維持することができる。その結果、珠２Ａは、珠本体２０Ａを加工して中空部２０ｂを形成し、更に、中空部２０ｂの中に健康状態検出部５を設けるために、コストが大きくなるが、ネックレス１は、装身具としての価値を有し、コスト以上の価値を有することができるようになる。
【００２６】
リング形成部材３は、複数の珠２（珠２Ａを含む。）を連結するものである。珠２Ａ以外の珠２では、珠本体２０の挿通孔２０ａは珠２を貫通しており、それにリング形成部材３は、挿通している。珠２Ａでは、珠本体２０Ａの挿通孔２０ａは中空部２０ｂまで珠２Ａの両側から形成されており、それらの挿通孔２０ａにリング形成部材３は、挿通している。
【００２７】
リング形成部材３は、図２に示すように、内部に導電線３Ａ、３Ｂ、３Ｃが設けられている。この導電線３Ａ、３Ｂ、３Ｃは、電源電圧を供給する電源線、接地線、データ信号が乗る信号線にそれぞれが対応しており、互いに電気的に絶縁している。なお、信号線に対応する導電線３Ｃの数は、適宜、変更することができる。また、導電線３Ａ、３Ｂ、３Ｃは、必要なところだけに設けることも可能である。
【００２８】
珠２Ａの中空部２０ｂでは、導電線３Ａ、３Ｂ、３Ｃと健康状態検出部５との間で電気的接続のための配線が設けられている。リング形成部材３は、中空部２０ｂの中でも存在していても構わないが、通常、スペースの制約などから、図２に示すように分断される。この場合、挿通孔２０ａの中のリング形成部材３が移動して配線が切れることのないように、リング形成部材３を珠本体２０Ａに固定するのがよい。
【００２９】
結合部材４Ａ、４Ｂは、リングを形成するためにリング形成部材３の両端に設けられ互いに結合するものである。
【００３０】
結合部材４Ａ、４Ｂのうちの一方の結合部材４Ａには、図４に示すように、健康状態検出部５から出力される血流音のデータを記憶するデータ記憶部６と、データ記憶部６に記憶されたデータを外部に送信するデータ通信部７と、健康状態検出部５、データ記憶部６、及びデータ通信部７に電力を供給する電源部８と、が設けられている。電源部８は、充電池又は１次電池などの電池を有している。
【００３１】
データ記憶部６が受ける血流音のデータは、健康状態検出部５の信号処理回路５３から出力され、前述した導電線（信号線）３Ｃを介して、送られて来たものである。また、電源部８から健康状態検出部５への電力の供給は、前述した導電線３Ａ、３Ｂを介して行われる。
【００３２】
結合部材４Ａは、端面にコネクタ（例えば、ＵＳＢコネクタやイヤホンジャックなど）４１を設けて、内部のデータ通信部７と電気的に接続するようにできる。コネクタ４１は、データを送信するよう、外部のデータ処理機器（専用のデータ処理プログラムをインストールしたスマートフォンやパソコンなど、又は専用データ処理機器）Ｐに差し込むことができる。また、コネクタ４１は、通常のネックレス（装身具）として使用するときは、他方の結合部材４Ｂの凹部４２に嵌め込み、それとともに、結合部材４Ａ、４Ｂ同士が、図示しない一般的な係止機構によって、互いに結合される。なお、コネクタ４１をデータ処理機器Ｐに差し込んだとき、電源部８の充電池を充電することも可能である。
【００３３】
ネックレス１から血流音のデータを取り込んだデータ処理機器Ｐは、データを、波形表示など判別し易い形にして画面に表示することができる。また、データ処理機器Ｐは、図５に示すようなインターネット等の通信ネットワークＮを介して医療機関などのデータ処理機器（専用のデータ処理プログラムをインストールしたパソコンなど、又は専用データ処理機器）Ｑにデータを送信することができる。データを取り込んだデータ処理機器Ｑは、データを、波形表示など判別し易い形にして画面に表示することができる。それにより、医療従事者は、ネックレス１を使用している者の健康状態の監視及び管理を行うことができる。
【００３４】
また、ネックレス１から外部のデータ処理機器Ｐにデータを送信するとき、コネクタ４１を介さずに、無線（例えば、ブルートゥース）を介して行うことも可能である。そうすると、定期的に自動的にデータ処理機器Ｐにデータを送信するようにできる。そして、データ処理機器Ｐが自動的にデータ処理機器Ｑにデータを送信するようにすると、医療従事者は、ネックレス１を使用している者の健康状態の監視及び管理をリアルタイムに行うことができる。また、健康状態検出部５が血流の異常を検知したときには、そのことを示すデータを、データ処理機器Ｐを通して、データ処理機器Ｑに遅滞なく自動的に送信することができる。それにより、医療従事者は、ネックレス１を使用している者の安否を確認する行動を早急に取ることができる。
【００３５】
また、電源部８の電池の電圧が低下したときには、そのことを示すデータを、データ処理機器Ｐに自動的に送信することができる。それにより、ネックレス１を使用している者は、電源部８の電池の電圧の低下を認識して、ネックレス１の電池の充電又は交換などのための行動を取ることができる。或いは、更に電源部８の電池の電圧が低下したことを示すデータをデータ処理機器Ｐからデータ処理機器Ｑに自動的に送信することも可能である。それにより、医療従事者は、ネックレス１の電池の充電又は交換などのための行動を取ることができる。なお、このようにネックレス１から外部のデータ処理機器Ｐに無線でデータを送信する場合、電源部８の充電池を充電することなどに用いないならば、コネクタ４１は省略することが可能である。
【００３６】
以上説明したように、ネックレス１は、珠２Ａの内部に健康状態検出部５を設けており、また、リング形成部材３の内部に導電線３Ａ、３Ｂ、３Ｃを設けているので、健康状態管理が可能であるとともに装身具としての外観を維持できる。それにより、日常的に装着して、長時間（例えば、１日〜３０日）の日常生活の血流音のデータを得ることが可能になる。
【００３７】
なお、健康状態検出部５が設けられた珠２Ａは、コスト等を考慮して、１個とすることも可能である。また、データ記憶部６、データ通信部７、及び電源部８は、結合部材４Ａの中に限らず、珠２（珠２Ａを含む。）の中に設けたり、リング形成部材３の一部を太くしてその中に設けたりすることも可能である。また、健康状態検出部５によって血流音を検出するのは、頸動脈に限らなくてもよい。
【００３８】
また、珠２Ａに、血流音を検出する健康状態検出部５に加えて、或いはそれに代えて、血流の状態を検出する他の健康状態検出部を設けることも可能である。この場合の他の健康状態検出部は、例えば、血圧を検出するものとし、前述したマイクロホン素子５１、アンプ回路５２、及び信号処理回路５３のそれぞれに対応する圧力センサ、アンプ回路、信号処理回路などから構成することができる。
【００３９】
更には、健康状態検出部５などの血流の状態を検出する健康状態検出部に加えて、或いはそれに代えて、表面体温、深部体温、肺音など血流以外の音、又は心電図情報などを検出する他の健康状態検出部を設けることも可能である。
【００４０】
以上、本発明の実施形態に係るネックレスについて説明したが、本発明は、実施形態に記載したものに限られることなく、特許請求の範囲に記載した事項の範囲内でのさまざまな設計変更が可能である。
【符号の説明】
【００４１】
１    ネックレス
２、２Ａ  珠
２０、２０Ａ  珠本体
２０ａ  挿通孔
２０ｂ  中空部
２０ｂａ  開口部
２１  貼り付け部材
３    リング形成部材
３Ａ、３Ｂ、３Ｃ  導電線
４Ａ、４Ｂ  結合部材
５    健康状態検出部
６    データ記憶部
７    データ通信部
８    電源部
【図１】
2015024063.tif 000003
【図２】
2015024063.tif 000004
【図３】
2015024063.tif 000005
【図４】
2015024063.tif 000006
【図５】
2015024063.tif 000007